(57)【要約】      （修正有）【課題】測定用テープが、身体採寸の際に折り曲げられたり、また、保管の際に折り畳まれて収納されても、測定用テープに付した抗菌剤が剥離脱落することがなく、同測定用テープを長期に渡って安定して使用することができる測定テープを提供する。【解決手段】樹脂素材から形成したテープ部材に測定用の目盛り３を表示してなる測定用テープ１であって、少なくともテープ部材における最外層の被膜（コーティング膜２）を形成するためのコーティング材に、抗菌作用を有する材料を添加したコーティング材を用いる。【選択図】図１
0003155092.tif 000002
【実用新案登録請求の範囲】
【請求項１】
樹脂素材から形成したテープ部材に測定用の目盛りを表示してなる測定用テープであって、少なくとも前記測定用テープ部材における最外層の被膜を形成するためのコーティング材に、抗菌作用を有する材料を添加したコーティング材を用いてなる測定用テープ。
【請求項２】
前記テープ部材に形成した最外層の被膜上に表示する測定用の目盛りを表示するための塗料に、抗菌作用を有する材料を添加した塗料を用いてなる請求項１に記載の測定用テープ。
【請求項３】
前記抗菌作用を有する材料が、流動性を有する抗菌用の薬剤である請求項１または請求項２に記載の測定用テープ。
【請求項４】
樹脂素材から形成したテープ部材に測定用の目盛りを表示してなる測定用テープを備える巻尺であって、少なくとも前記テープ部材における最外層の被膜を形成するためのコーティング材に、抗菌作用を有する材料を添加したコーティング材を用いてなる巻尺。
【請求項５】
前記テープ部材に形成した最外層の被膜上に表示する測定用の目盛りを表示するための塗料に、抗菌作用を有する材料を添加した塗料を用いてなる請求項４に記載の巻尺。
【請求項６】
前記抗菌作用を有する材料が、流動性を有する抗菌用の薬剤である請求項４または請求項５に記載の巻尺。
【考案の詳細な説明】
【技術分野】
【０００１】
本考案は、樹脂素材からなる測定用テープに関し、より詳しくは、抗菌作用を付した測定用テープに関する。
【背景技術】
【０００２】
従来、樹脂素材からなる測定用テープは、主に衣服の製作や販売を行う店舗等で、身体の採寸を行う際に用いられている。
【０００３】
そして、近年の清潔志向から、測定用テープを身体に直接当てて行う首周りの採寸を考慮して、測定用テープを、普通の樹脂素材からなる測定用テープから抗菌作用を付した測定用テープに替える店舗が増えてきている。
【０００４】
この抗菌作用を付した測定用テープは、グラスファイバー（ガラス繊維強化プラスチック）等の樹脂素材から形成した測定用テープ部材に、下地処理とテープ色の着色を兼ねた例えば白色塗装を行い、次いで、白色塗装の上に測定用の目盛りを表示し、次いで、これらの上に抗菌剤を塗布して測定用テープに抗菌作用を持たせるようにしている。
【０００５】
しかしながら、測定用テープは身体採寸の際に折り曲げられたり、また、保管の際に折り畳まれて収納されることが多々あり、このため、測定用テープの使用とともに同測定用テープ表面に塗布されている抗菌剤が剥離脱落することが多々あった。
【先行技術文献】
【特許文献】
【０００６】
【特許文献１】特開２００９−３６５１８号公報（第１〜７頁、図１〜８）
【考案の概要】
【考案が解決しようとする課題】
【０００７】
本考案の目的とするところは、測定用テープが、身体採寸の際に折り曲げられたり、また、保管の際に折り畳まれて収納されても、測定用テープに付した抗菌剤が剥離脱落することがなく、同測定用テープを長期に渡って安定して使用することができる測定テープを提供できるようにすることにある。
【課題を解決するための手段】
【０００８】
上述した課題を解決するために、本考案に係る測定用テープは、樹脂素材から形成したテープ部材に測定用の目盛りを表示してなる測定用テープであって、少なくとも前記テープ部材における最外層の被膜を形成するためのコーティング材に、抗菌作用を有する材料を添加したコーティング材を用いたものとしてある。
【０００９】
また、前記テープ部材に形成した最外層の被膜上に表示する測定用の目盛りを表示するための塗料に、抗菌作用を有する材料を添加した塗料を用いたものとしてある。
【００１０】
また、前記抗菌作用を有する材料が、流動性を有する抗菌用の薬剤としたものとしてある。
【００１１】
本考案に係る測定用テープを備える巻尺は、樹脂素材から形成したテープ部材に測定用の目盛りを表示してなる測定用テープを備える巻尺であって、少なくとも前記テープ部材における最外層の被膜を形成するためのコーティング材に、抗菌作用を有する材料を添加したコーティング材を用いたものとしてある。
【００１２】
また、前記テープ部材に形成した最外層の被膜上に表示する測定用の目盛りを表示するための塗料に、抗菌作用を有する材料を添加した塗料を用いたものとしてある。
【００１３】
また、前記抗菌作用を有する材料が、流動性を有する抗菌用薬剤としたものとしてある。
【考案の効果】
【００１４】
本考案に係る測定用テープによれば、樹脂素材から形成したテープ部材における最外層の被膜を形成するためのコーティング材に、抗菌作用を有する材料（例えば、抗菌剤）を添加して塗布しているので、測定用テープが身体採寸の際に折り曲げられたり、また、保管の際に折り畳まれて収納されても、前記コーティング材（例えば、下地処理とテープ色の着色を兼ねる白色塗料）が剥離脱落しない限り測定用テープの抗菌作用が無くなることはなく、したがって、測定用テープを長期に渡って安定して使用することができる。
【００１５】
また、測定用テープの抗菌作用は、前記コーティング材（例えば、下地処理とテープ色の着色を兼ねる白色塗料）の上に印刷される測定用目盛りに隠されていない同コーティング材が露出している部分だけで十分であるが、測定用の目盛りを表示する印刷用の塗料に抗菌作用を有する材料（例えば、抗菌剤）を添加すれば、測定用テープの抗菌作用をより大にすることもできる。
【図面の簡単な説明】
【００１６】
【図１】本考案に係る測定用テープの一例を示す斜視図。
【図２】図１中に示すＡ−Ａ部分の断面図。
【図３】図１中に示すＡ−Ａ部分の断面図。
【図４】本考案に係る測定用テープを備える巻尺の一例を示す斜視図。
【考案を実施するための形態】
【００１７】
以下、本考案に係る測定用テープおよびこの測定用テープを備える巻尺の実施例を、添付図面に示す具体例に基づいて詳細に説明する。
【００１８】
図１に示すように、本考案に係る測定用テープ１は、グラスファイバー等の樹脂素材を用いて柔軟性を有する薄板のテープ状に形成している。
【００１９】
そして、図２に示すように、前述するテープ状に形成したテープ部材１ａの周囲を、下地処理とテープ色の着色を兼ねるコーティング材たる抗菌作用を有する材料を添加した白色塗料でコーティングしていて、少なくともテープ部材１ａの一側におけるコーティング膜２の上に測定用の目盛３を表示している。
【００２０】
また、図中の符号４が、前記白色塗料に添加した抗菌剤を示していて、抗菌剤は、粉末状や液状のものを用いるのが適している。
【００２１】
そして、抗菌剤４を添加した白色塗料でコーティングしたコーティング膜２の上に表示する測定用の目盛３における印刷用の塗料にも、抗菌作用を有する材料を添加した塗料を用いる場合がある（図３を参照）。
【００２２】
また、実施例に示すものは、下地処理とテープ色の着色を兼ねたコーティングを、前記テープ部材１ａに１回だけ行っているが、同施工を同色や透過可能な塗料等によって２回以上行う場合もある。
【００２３】
また、実施例には示していないが、測定用の目盛３の上に透過可能な塗料でコーティングする場合もあって、この場合は、同透過可能な塗料に抗菌作用を有する材料を添加した塗料を用い、同層以下に行うコーティングまた測定用の目盛３には、抗菌作用を有する材料を添加しない普通の塗料を用いる。
【００２４】
そして、図４は、本考案に係る測定用テープ１を備える巻尺５の一例を示していて、巻尺５は、引き出した測定用テープ１がその引き出した位置で自動的に停止するオートロック方式のブレーキ機構を有するものを示している。
【００２５】
また、図中の符号５ａは、巻尺５のケース、符号６は、測定用テープ１の先端に設けているフック、符号７は、測定用テープ１をケース５内に引き込み収納する際に操作するブレーキ解除ボタンである。
【符号の説明】
【００２６】
１  測定用テープ
１ａ  テープ部材
２  コーティング膜
３  目盛り
４  抗菌剤
５  巻尺
５ａ  ケース
６  フック
７  ブレーキ解除ボタン
【図１】
0003155092.tif 000003
【図２】
0003155092.tif 000004
【図３】
0003155092.tif 000005
【図４】
0003155092.tif 000006